(57)【要約】【課題】  正常な使用状態から９０度又は１８０度回転した不正常な状態で使用した場合には、そのことを容易に知ることができて、刀と同じ扱いとして剣道の稽古をなし得る竹刀を提供する。【解決手段】  竹刀本体３はその刀身部４から柄部５に亘って竹刀本体３の長手方向に直交する断面形状が扁平なリング形になる筒状に形成されている。また、前記複数の竹片１５は上部竹片１５ａと下部竹片１５ｂと左右一対の側部竹片１５ｃとからなり、左右の側部竹片１５ｃが上部竹片１５ａ及び下部竹片１５ｂよりも幅広に形成されて、竹刀本体３がその刀身部４から柄部５に亘って上下に長い楕円形又は長方形の筒状に形成されている。【選択図】図１
0003180335.tif 000002
【実用新案登録請求の範囲】
【請求項１】
複数の竹片（１５）が周方向に組み合わされて竹刀本体（３）が細長い筒状に形成された竹刀であって、
竹刀本体（３）はその刀身部（４）から柄部（５）に亘って竹刀本体（３）の長手方向に直交する断面形状が扁平なリング形になる筒状に形成されていることを特徴とする竹刀。
【請求項２】
前記複数の竹片（１５）は上部竹片（１５ａ）と下部竹片（１５ｂ）と左右一対の側部竹片（１５ｃ）とからなり、左右の側部竹片（１５ｃ）が上部竹片（１５ａ）及び下部竹片（１５ｂ）よりも幅広に形成されて、竹刀本体（３）がその刀身部（４）から柄部（５）に亘って上下に長い楕円形又は長方形の筒状に形成されていることを特徴とする請求項１に記載の竹刀。
【請求項３】
左右の側部竹片（１５ｃ）の上下幅（Ｗ１）が上部竹片（１５ａ）及び下部竹片（１５ｂ）の左右幅（Ｗ２）の１．１倍以上に設定されていることを特徴とする請求項２に記載の竹刀。
【請求項４】
竹刀本体（３）の刀身部（４）の上方に設けられた弦（１１）の下方に、上部竹片（１５ａ）と下部竹片（１５ｂ）とが互いに上下に間隔をおいて配置され、左右の側部竹片（１５ｃ）間の上方に弦（１１）が位置するように、左右の側部竹片（１５ｃ）が互いに左右に間隔をおいて配置され、上部竹片（１５ａ）と下部竹片（１５ｂ）との上下離間幅（Ｄ１）が左右の側部竹片（１５ｃ）の左右離間幅（Ｄ２）よりも大に設定されていることを特徴とする請求項２又は３に記載の竹刀。
【請求項５】
竹刀本体（３）の中央部に複数の竹片（１５）に取り囲まれた空洞（１７）が竹刀本体（３）の刀身部（４）から柄部（５）に亘って形成され、該空洞（１７）は竹刀本体（３）と弦（１１）とが離間する方向に細長く形成されていることを特徴とする請求項１〜４のいずれかに記載の竹刀。
【考案の詳細な説明】
【技術分野】
【０００１】
本考案は、形稽古用等に使用される竹刀に関するものである。
【背景技術】
【０００２】
竹刀には４本の竹片が周方向に組み合わされて竹刀本体が細長い筒状に形成されたものがある。この種の従来の竹刀は、４本の竹片が互いに同一幅に形成されており、竹刀本体はその刀身部から柄部に亘って竹刀本体の長手方向に直交する断面形状が円形又は正方形になる筒状に形成されていた（例えば特許文献１）。
また、刀の代用品と位置付けられる従来の竹刀には、竹刀本体の柄部が刀のように楕円形の筒状のものがあったが、竹刀本体の刃身部は円形又は正方形の筒状であった（特許文献としては存在しないが、このような竹刀が実際に製造販売されていた）。
【先行技術文献】
【特許文献】
【０００３】
【特許文献１】特開２００６−１０９９０８号公報
【考案の概要】
【考案が解決しようとする課題】
【０００４】
従って、竹刀を刀のように扱って剣道の稽古に使用する場合、従来の竹刀は刃身部が円形又は正方形の筒状であったため、竹刀を刀として説明するときに、刀の峰に相当する部分を竹刀本体の刀身部の上方に設けられた弦が表しているが、刀の刃の部分は弦の反対側であると説明するしかなく、弦側を上にした正常な使用状態から９０度又は１８０度回転した不正常な状態で竹刀を使用した場合でも、そのことがわかりにくく、刀と同じ扱いとして稽古することが困難であるという問題があった。このため、刀と同じ扱いとして剣道の稽古をするときには、竹刀に代えて木刀を使用するしかなかった。
本考案は上記問題点に鑑み、弦側を上にした正常な使用状態から９０度又は１８０度回転した不正常な状態で使用した場合には、そのことを容易に知ることができて、刀と同じ扱いとして剣道の稽古をなし得る竹刀を提供することを目的とする。
【課題を解決するための手段】
【０００５】
本考案における課題解決のための具体的手段は、次の通りである。
この技術的課題を解決する本考案の技術的手段は、複数の竹片１５が周方向に組み合わされて竹刀本体３が細長い筒状に形成された竹刀であって、
竹刀本体３はその刀身部４から柄部５に亘って竹刀本体３の長手方向に直交する断面形状が扁平なリング形になる筒状に形成されている点にある。
また、本考案の他の技術的手段は、前記複数の竹片１５は上部竹片１５ａと下部竹片１５ｂと左右一対の側部竹片１５ｃとからなり、左右の側部竹片１５ｃが上部竹片１５ａ及び下部竹片１５ｂよりも幅広に形成されて、竹刀本体３がその刀身部４から柄部５に亘って上下に長い楕円形又は長方形の筒状に形成されている点にある。
また、本考案の他の技術的手段は、左右の側部竹片１５ｃの上下幅Ｗ１が上部竹片１５ａ及び下部竹片１５ｂの左右幅Ｗ２の１．１倍以上に設定されている点にある。
また、本考案の他の技術的手段は、竹刀本体３の刀身部４の上方に設けられた弦１１の下方に、上部竹片１５ａと下部竹片１５ｂとが互いに上下に間隔をおいて配置され、左右の側部竹片１５ｃ間の上方に弦１１が位置するように、左右の側部竹片１５ｃが互いに左右に間隔をおいて配置され、上部竹片１５ａと下部竹片１５ｂとの上下離間幅Ｄ１が左右の側部竹片１５ｃの左右離間幅Ｄ２よりも大に設定されている点にある。
また、本考案の他の技術的手段は、竹刀本体３の中央部に複数の竹片１５に取り囲まれた空洞１７が竹刀本体３の刀身部４から柄部５に亘って形成され、該空洞１７は竹刀本体３と弦１１とが離間する方向に細長く形成されている点にある。
【考案の効果】
【０００６】
請求項１によれば、竹刀本体の形状自体によって刀の峰と刃とに相当する部分が明確になって竹刀の上下が分かるため、竹刀を正常な使用状態から９０度又は１８０度回転した不正常な状態で使用した場合には、そのことを容易に知ることができて、竹刀を刀や木刀と同じ扱いとして剣道の稽古をなし得る。
請求項２によれば、上部竹片と下部竹片と左右一対の側部竹片とが周方向に組み合わされて竹刀本体が筒状に形成されている場合において、左右の側部竹片が上部竹片及び下部竹片よりも幅広に形成されていることにより、刀の峰と刃とに相当する部分が明確になり、竹刀を正常な使用状態で刀や木刀と同じ扱いとして剣道の稽古をなし得る。
請求項３によれば、左右の側部竹片の上下幅Ｗ１が、上部竹片及び下部竹片の左右幅Ｗ２よりも目で見て分かる程度に大きくなり、竹刀を不正常な状態で使用した場合には、そのことが明確に分かるようになる。
請求項４によれば、竹刀本体の形状自体と弦の位置との両方によって、刀の峰に対応する部分と刀の刃に対応する部分とを明確に区別することができるようになり、竹刀について弦が張られた側を刀の峰、その反対側を刀の刃、左右を刀の鎬に見立てることが確実にできるようになり、刀や木刀と同じ扱いとして剣道の稽古を良好になし得る。
請求項５によれば、竹刀を刀と見立てて剣道の稽古を良好になし得るにも拘わらず、竹刀で打ち合った際の衝撃を空洞によって効果的に緩衝することができ、竹刀で存分に打ち合えるような剣道の稽古をすることも可能になる。
【図面の簡単な説明】
【０００７】
【図１】本考案の一実施形態を示す竹刀本体の斜視図である。
【図２】同竹刀の側面図である。
【図３】同図２のＡ−Ａ線断面図である。
【図４】同図２のＢ−Ｂ線断面図である。
【図５】本考案の他の実施形態を示す竹刀本体の刀身部の断面図である。
【図６】本考案の他の実施形態を示す竹刀本体の刀身部の断面図である。
【考案を実施するための形態】
【０００８】
以下、本考案の実施の形態を図面に基づいて説明する。
図１〜図４は本考案の一実施形態を示している。図１〜図４において、竹刀１は細長い筒状に形成された竹刀本体３を備え、竹刀本体３は刀身部４と柄部５とを有している。
竹刀本体３の先端にキャップ状の先革８が装着され、柄部５に柄皮９が装着され、これら先革８と柄皮９との間に弦１１が張られている。竹刀本体３の刀身部４の中間部よりやや先端寄りの位置に皮製の中結１２が設けられている。柄部５の刀身部４側には柄皮９の上から環状の鍔１３が外嵌保持されている。
竹刀本体３は複数の竹片１５が周方向に組み合わされて、その刀身部４から柄部５に亘って竹刀本体３の長手方向に直交する断面形状が扁平なリング形になる筒状に形成されている。
具体的には、前記複数の竹片１５は４本あって、上部竹片１５ａと下部竹片１５ｂと左右一対の側部竹片１５ｃとからなり、左右の側部竹片１５ｃが上部竹片１５ａ及び下部竹片１５ｂよりも幅広に形成されて、竹刀本体３がその刀身部４から柄部５に亘って上下に長い楕円形又は長方形の筒状に形成されている。左右の側部竹片１５ｃの上下幅Ｗ１が上部竹片１５ａ及び下部竹片１５ｂの左右幅Ｗ２の１．１倍以上に設定されている。
竹刀本体３の刀身部４の上方に設けられた弦１１の下方に、上部竹片１５ａと下部竹片１５ｂとが互いに上下に間隔をおいて配置され、左右の側部竹片１５ｃ間の上方に弦１１が位置するように、左右の側部竹片１５ｃが互いに左右に間隔をおいて配置され、上部竹片１５ａと下部竹片１５ｂとの上下離間幅Ｄ１が左右の側部竹片１５ｃの左右離間幅Ｄ２よりも大に設定されている。
そして、竹刀本体３の中央部に複数の竹片１５に取り囲まれた空洞１７が竹刀本体３の刀身部４から柄部５に亘って形成され、該空洞１７は竹刀本体３と弦１１とが離間する方向（上下方向）に細長く形成されている。
上記実施形態によれば、竹刀本体３はその刀身部４から柄部５に亘って竹刀本体３の長手方向に直交する断面形状が扁平なリング形になる筒状に形成されているので、竹刀本体３の形状自体によって刀の峰と刃とに相当する部分が明確になって竹刀１の上下が分かるため、竹刀１を正常な使用状態から９０度又は１８０度回転した不正常な状態で使用した場合には、そのことを容易に知ることができて、竹刀１を刀や木刀と同じ扱いとして剣道の稽古をなし得る。
また、前記複数の竹片１５は上部竹片１５ａと下部竹片１５ｂと左右一対の側部竹片１５ｃとからなり、左右の側部竹片１５ｃが上部竹片１５ａ及び下部竹片１５ｂよりも幅広に形成されて、竹刀本体３がその刀身部４から柄部５に亘って上下に長い楕円形又は長方形の筒状に形成されているので、左右の側部竹片１５ｃが上部竹片１５ａ及び下部竹片１５ｂよりも幅広に形成されていることにより、刀の峰と刃とに相当する部分が明確になり、竹刀１を正常な使用状態で刀や木刀と同じ扱いとして剣道の稽古をなし得る。
また、左右の側部竹片１５ｃの上下幅Ｗ１が上部竹片１５ａ及び下部竹片１５ｂの左右幅Ｗ２の１．１倍以上に設定されているので、左右の側部竹片１５ｃの上下幅Ｗ１が、上部竹片１５ａ及び下部竹片１５ｂの左右幅Ｗ２よりも目で見て分かる程度に大きくなり、竹刀１を不正常な状態で使用した場合には、そのことが明確に分かるようになる。
また、竹刀本体３の刀身部４の上方に設けられた弦１１の下方に、上部竹片１５ａと下部竹片１５ｂとが互いに上下に間隔をおいて配置され、左右の側部竹片１５ｃ間の上方に弦１１が位置するように、左右の側部竹片１５ｃが互いに左右に間隔をおいて配置され、上部竹片１５ａと下部竹片１５ｂとの上下離間幅Ｄ１が左右の側部竹片１５ｃの左右離間幅Ｄ２よりも大に設定されているので、竹刀本体３の形状自体と弦１１の位置との両方によって、刀の峰に対応する部分と刀の刃に対応する部分とを明確に区別することができるようになり、竹刀１について弦１１が張られた側を刀の峰、その反対側を刀の刃、左右を刀の鎬に見立てることが確実にできるようになり、刀や木刀と同じ扱いとして剣道の稽古を良好になし得る。
また、竹刀本体３の中央部に複数の竹片１５に取り囲まれた空洞１７が竹刀本体３の刀身部４から柄部５に亘って形成され、該空洞１７は竹刀本体３と弦１１とが離間する方向（上下方向）に細長く形成されているので、竹刀１を刀と見立てて剣道の稽古を良好になし得るにも拘わらず、竹刀１で打ち合った際の衝撃を空洞１７によって効果的に緩衝することができ、竹刀１で存分に打ち合えるような剣道の稽古をすることも可能になる。
図５は他の実施形態を示し、竹刀本体３を６本の竹片１５を周方向に組み合わせて細長い筒状に形成したものであって、竹刀本体３はその刀身部４から柄部５に亘って竹刀本体３の長手方向に直交する断面形状が扁平なリング形になる筒状に形成されている。また、竹刀本体３の中央部に６本の竹片１５に取り囲まれた空洞１７が竹刀本体３の刀身部４から柄部５に亘って形成され、該空洞１７は竹刀本体３と弦１１とが離間する方向に細長く形成されている。その他の点は前記実施形態の場合と同様の構成である。
前記図１〜図４の実施形態では、４本の竹片１５のうちの左右の側部竹片１５ｃが上部竹片１５ａ及び下部竹片１５ｂよりも幅広に形成されて、竹刀本体３がその刀身部４から柄部５に亘って上下に長い楕円形又は長方形の筒状に形成されているが、これに代え、図６に示すように、左右の側部竹片１５ｃを上部竹片１５ａ及び下部竹片１５ｂに比べて略同幅又は小幅に形成することによっても、竹刀本体３をその刀身部４から柄部５に亘って上下に長い楕円形又は長方形の筒状に形成することができる。
また、竹刀本体３を構成する竹片１５の本数は４本又は６本に限定されず、竹刀本体３を構成する竹片１５の本数を５本又は７本以上にしてもよい。
また、竹刀本体３の竹片１５は竹材製のものに限らず、竹材に近似した弾性を有する合成樹脂製のものであってもよい。
【符号の説明】
【０００９】
１      竹刀
３      竹刀本体
４      刀身部
５      柄部
１１    弦
１５    竹片
１５ａ  上部竹片
１５ｂ  下部竹片
１５ｃ  側部竹片
１７    空洞
Ｄ１  上下離間幅
Ｄ２  左右離間幅
Ｗ１  上下幅
Ｗ２  左右幅
【図１】
0003180335.tif 000003
【図２】
0003180335.tif 000004
【図３】
0003180335.tif 000005
【図４】
0003180335.tif 000006
【図５】
0003180335.tif 000007
【図６】
0003180335.tif 000008